(57)【要約】【課題】薬の服用忘れの頻度を低減させる薬管理具を提供する。【解決手段】薬管理具は、番組表１００が印刷された領域（情報印刷領域）Ａ１と、番組表１００が印刷された領域Ａ１の外側に位置し薬を収納した袋を貼り付けることができる薬貼り付け領域Ａ２と、が一面に設けられたシート部材１からなる。薬貼り付け領域Ａ２は、１日の４つの時間帯に対応する４つのサブ領域Ａ２１〜Ａ２４に区分けされている。また、領域Ａ１は、時刻を表示する複数の時刻表示欄がＹ方向に並んで配置されてなる時刻表示領域１０２を有する。そして、４つのサブ領域Ａ２１〜Ａ２４は、Ｙ方向に沿って配置されている。【選択図】図１
0003199183.tif 000002
【実用新案登録請求の範囲】
【請求項１】
情報が印刷された情報印刷領域と、前記情報印刷領域の外側に位置し薬を収納した袋を貼り付けることができる薬貼り付け領域と、が一面に設けられたシート部材からなる薬管理具であって、
前記薬貼り付け領域は、１日の複数の時間帯に対応する複数のサブ領域に区分けされている、
ことを特徴とする薬管理具。
【請求項２】
前記情報印刷領域は、時刻を表示する複数の時刻表示欄が一方向に並んで配置されてなる時刻表示領域を有し、
前記複数のサブ領域は、前記一方向に沿って配置されている、
ことを特徴とする請求項１に記載の薬管理具。
【請求項３】
一面が解放した矩形箱状であり、透明な材料から形成された底壁と前記底壁に立設され内部を区分する隔壁とを有する薬箱と、
一面に情報が印刷されている情報シートと、
を備え、
前記底壁には、前記情報シートを保持するシート保持部が設けられている、
ことを特徴とする薬管理具。
【請求項４】
板状の主部と、
前記主部の一面側に配設された複数のトレイ部と、
一面に情報が印刷されている情報シートと、
を備え、
前記主部には、前記情報シートを保持するシート保持部が設けられている、
ことを特徴とする薬管理具。
【考案の詳細な説明】
【技術分野】
【０００１】
本考案は、薬管理具に関する。
【背景技術】
【０００２】
処方された薬を決められた時間帯に服用することは、病気治療のために必要なことである。しかし、実際には、つい服用を忘れてしまうことがある。
【０００３】
薬の服用忘れを解決するための技術として、薬収納袋を貼付するエリアが各日に形成された日めくりカレンダが考案されている（特許文献１）。特許文献１の技術では、目に付きやすい場所に設置する日めくりカレンダに、薬収納袋を付ける。このため、特許文献１の技術では、日めくりカレンダを参照する機会がある毎に、付いている薬収納袋に収納された薬を見ることになる。薬を見ることで、薬を処方されていることを思い出し、薬を服用することができる。
【０００４】
特許文献１の技術を使用すると、服用予定の薬を認識する機会が、机の中や冷蔵庫の庫内といった収納場所に薬を収納している場合に比べ増え、服用を忘れにくくすることができる。また、薬の服用者は、薬収納袋付日めくりカレンダを、毎日めくらなければならないため、最低限１日１度は見ることになる。なお、めくるときに、薬が残っていれば、服用忘れだと気づく。
【先行技術文献】
【特許文献】
【０００５】
【特許文献１】登録実用新案第３１７９３６６号公報
【考案の概要】
【考案が解決しようとする課題】
【０００６】
日めくりカレンダを見る機会は、一般的な生活習慣の持ち主であれば、１日の中でそう多くはない。一方で、処方される薬は、毎食後と寝る前等の複数回の服用を予定していることが多い。このため、薬の提示以外に、日を表示するだけでは、十分とはいえない。
【０００７】
本考案は、上記実情に鑑みてなされたものであり、薬の服用忘れの頻度を低減させる薬管理具を提供することを目的とする。
【課題を解決するための手段】
【０００８】
本考案に係る薬管理具は、
情報が印刷された情報印刷領域と、前記情報印刷領域の外側に位置し薬を収納した袋を貼り付けることができる薬貼り付け領域と、が一面に設けられたシート部材からなる薬管理具であって、
前記薬貼り付け領域は、１日の複数の時間帯に対応する複数のサブ領域に区分けされている、
ことを特徴とする。
【考案の効果】
【０００９】
本考案によれば、使用者が薬の服用を忘れる頻度を低減することができる。
【図面の簡単な説明】
【００１０】
【図１】本考案の実施の形態１に係る薬管理具の正面図である。
【図２】本考案の実施の形態１の変形例に係る薬管理具の正面図である。
【図３】本考案の実施の形態１の変形例に係る薬管理具の正面図である。
【図４】本考案の実施の形態２に係る薬管理具の正面図である。
【図５】本考案の実施の形態２の変形例に係る薬管理具の斜視図である。
【図６】本考案の実施の形態３に係る薬管理具の斜視図である。
【図７】本考案の実施の形態３に係る薬管理具の側面図である。
【図８】本考案の実施の形態４に係る薬管理具の正面図である。
【図９】本考案の実施の形態４に係る薬管理具の側面図である。
【考案を実施するための形態】
【００１１】
以下、本考案を実施するための形態について図面を参照しながら説明する。
【００１２】
（実施の形態１）
本考案の実施の形態１に係る薬管理具は、図１に示すように、番組表１００が印刷された情報印刷領域Ａ１と、情報印刷領域Ａ１の外側に位置し、薬を収納した袋を貼り付けることができる薬貼り付け領域Ａ２と、が一面に設けられたシート部材１からなる。
【００１３】
番組表１００は、番組表示領域１０１と、時刻表示領域１０２と、を含む。番組表示領域１０１では、１つの放送局が一日に放送する予定の番組それぞれの内容を表示する複数の番組表示欄が、時刻順に図１におけるＹ方向に一列に並んで配置されている。時刻表示領域１０２には、時刻を表示する複数の時刻表示欄が図１におけるＹ方向に一列に並んで配置されている。
【００１４】
薬貼り付け領域Ａ２は、２つの情報印刷領域Ａ１の間に配置されている。薬貼り付け領域Ａ２は、１日の複数（図１では４つ）の時間帯それぞれに対応する複数のサブ領域Ａ２１〜Ａ２４から構成される。４つのサブ領域Ａ２１〜Ａ２４は、時刻表示領域１０２における複数の時刻表示欄の並ぶ方向（図１のＹ方向）に沿って配置されている。４つの時間帯は、朝、昼、夜、寝る前に区別されている。薬を貼るときに、時刻表示領域１０２の時刻表示欄を参照することで、服用の時間帯を明確にすることができる。また、各サブ領域Ａ２１〜Ａ２４の下部には、体温や体調等のメモをするメモ欄１１１が設けられている。
【００１５】
薬の服用者は、テレビやラジオを視聴する際、薬管理具の情報印刷領域Ａ１に印刷された番組表１００を参照したときに、薬貼り付け領域Ａ２に貼り付けられた薬収納袋を確認できる。これにより、薬の服用忘れの頻度を低減することが可能となる。
【００１６】
また、情報印刷領域Ａ１中の時刻表示領域１０２は、薬貼り付け領域Ａ２に隣接している。これにより、服用者にとって薬貼り付け領域Ａ２に貼り付けられた薬収納袋の位置と服用時刻との関係が把握し易いものとなっている。
【００１７】
なお、複数日分の薬管理具を、纏めて１つの本や雑誌等を構成するものであってもよい。また、薬管理具における薬貼り付け領域Ａ２の位置は、図１の位置に限定されるものではなく、例えば図２に示すように、情報印刷領域Ａ１の右端であってもよい。或いは、図３に示すように、薬貼り付け領域Ａ２が、シート部材１の中央部よりも左側に位置していてもよい。つまり、情報印刷領域Ａ１の位置は、服用者の好みの傾向等に応じて適宜変更することができる。
【００１８】
更に、提供の形式はルーズリーフの形式でもよい。また、必ずしも見開きである必要はなく、例えばリーフレットの形式でもよい。
【００１９】
（実施の形態２）
本考案の実施の形態２に係る薬管理具は、図４に示すようなカレンダ２が印刷されている。薬管理具におけるカレンダ２の上部には、壁等に固定するための吊りヒモ２０１が取り付けられている。カレンダ２は、薬貼り付け領域Ａ２と、月日曜日表示１３と、暦注２１を含む。薬貼り付け領域Ａ２は、カレンダ２の中央に位置する。月日曜日表示１３はカレンダ２の上部に位置する。カレンダ２は、例えば１月、２週間または１週間の日数分を収録したものである。
【００２０】
薬貼り付け領域Ａ２は、朝、昼、夜、寝る前の４つの時間帯に区分され、それぞれの領域がサブ領域Ａ２１〜Ａ２４となっている。サブ領域Ａ２１〜Ａ２４は縦２列、横２行の形に並んでいる。並び順としては、左上が朝、その右が昼、左下が夜、その右が寝る前とする。また、各サブ領域Ａ２１〜Ａ２４の下部には、体温や体調等のメモをするメモ欄１１１が設けられている。暦注２１は月日曜日表示１３の下に位置している。
【００２１】
なお、本実施の形態に係る薬管理具は、図５に示すように、カレンダ２の上部に、複数の頁を纏めて連結するための連結用リング２０２が設けられている構成であってもよい。このカレンダ２では、薬貼り付け領域Ａ２は、カレンダ２の中央に位置する。月日曜日表示１３はカレンダ２の上部に位置する。
【００２２】
各薬貼り付け領域Ａ２は、朝、昼、夜、寝る前の４つの時間帯に区分され、それぞれの領域がサブ領域Ａ２１〜Ａ２４となっている。サブ領域Ａ２１〜Ａ２４は縦４列の形に並んでいる。並び順としては、左から順に朝、昼、夜、寝る前とする。また、各サブ領域Ａ２１〜Ａ２４の下部には、体温や体調等のメモをするメモ欄１１１が設けられている。暦注２１は月日曜日表示１３の右に位置している。
【００２３】
次に、実施の形態２に係るカレンダ２の使用方法の一例について説明する。薬の服用者は、薬局等から薬が処方されると、全ての薬を、服用予定日の月日曜日表示１３が表示されているカレンダ２の薬貼り付け領域Ａ２に貼り付ける。薬の服用者は、日常生活の中で、冠婚葬祭や大事な会議の予定を決定するために、カレンダ２に表示されている月日曜日表示１３で予定日を特定し、その日の暦注２１を確認する。カレンダ２には、暦注２１と共に、薬が貼り付けられた薬貼り付け領域Ａ２が設けられている。
【００２４】
実施の形態２によれば、暦注２１を確認する際に、薬貼り付け領域Ａ２に貼り付けられた薬も同時に確認することになり、薬の服用を忘れにくくなる。当然のことだが、日付の確認のために月日曜日表示１３を参照する際にも薬を確認するし、日付が変わり、カレンダ２をめくる際にも薬を確認する。
【００２５】
暦注２１の代わりに、例えば、流行しているキャラクターの時間帯毎のイラスト（図柄）が描かれていれば、乳幼児は、そのイラストに興味を持つため、頻繁に参照する。このため、イラストが流行しているキャラクターの時間帯毎のイラストである場合は、乳幼児に対して薬の服用を促すことができ、動機付けにもなり得る。
【００２６】
なお、サブ領域Ａ２１〜Ａ２４は、斜めに４つ並んでいてもよいし、並び順も任意でよい。また、薬貼り付け領域Ａ２の下に月日曜日表示１３が位置してもよい。更に、薬管理具は、壁掛け型や、卓上型等に限定されるものではない。また、カレンダ２の形状は、特に限定されず、円形や、動物の形等でもよい。或いは、薬貼り付け領域Ａ２、サブ領域Ａ２１〜Ａ２４の形状が、動物の形等でもよい。
【００２７】
（実施の形態３）
本考案の実施の形態３に係る薬管理具について説明する。薬管理具は、据え置き型であり、図６に示すように、一面が解放した矩形箱状であり底壁４０９に立設された隔壁４１０により内部が区切られている薬箱４０と、薬箱４０の底壁４０９に設けられたシート保持部Ｓ１に保持される番組シート１０００と、を備える。薬箱４０は、透明な材料から形成されている。透明な材料としては、透明な樹脂やガラス等が挙げられる。番組シート１０００は、シート部材の一面側に番組表１００が印刷されたものである。
【００２８】
図７に示すように、シート保持部Ｓ１は、底壁４０９の内部に設けられた隙間部分から構成される。番組シート１０００は、シート保持部Ｓ１内に、その印刷面１０００ａがシート保持部Ｓ１における隔壁４１０側を臨むようにして配置される。これにより、ユーザは、薬管理具の上記一面側から、底壁４０９における隔壁４１０側の部分を通して番組シート１０００に印刷された番組表１００に目を通すことができる。
【００２９】
薬箱４０の内部を隔壁４１０で区切ってなる各領域４１１〜４１４、４２１〜４２４は、薬を格納する格納領域を構成している。隔壁４１０は、番組シート１０００がシート保持部Ｓ１に保持された状態において、各領域４１１〜４２４が番組シート１０００の番組表１００の４つの時間帯に対応する位置となるように、配置されている。領域４１１、４２１は朝、領域４１２、４２２は昼、領域４１３、４２３は夜、領域４１４、４２４は寝る前といったように４つの時間帯に区分されている。
【００３０】
次に、実施の形態３に係る薬管理具の使用方法の一例について説明する。薬の服用者は、薬局等から処方された薬を、決められた服用時間帯に応じて、各領域４１１〜４１４、４２１〜４２４に収納する。薬の服用者は、日常生活の中で、テレビやラジオを視聴するために、薬管理具を参照する。薬管理具の上記一面側からシート保持部Ｓ１に保持された番組シート１０００の番組表１００を参照できる。また、日付が変わると適宜シート保持部Ｓ１に保持された番組シート１０００の差し替えを行う。
【００３１】
実施の形態３によれば、番組表１００を確認する際に、薬箱４０に収納された薬も同時に確認することになり、薬の服用忘れの頻度を低減することが可能となる。番組表１００に含まれる時刻表示領域１０２を参照することで、各薬の服用の時刻を把握することができる。また、実施の形態１から３で説明した薬管理具には、貼り付けらない薬に対応ができるという利点がある。
【００３２】
本実施の形態では、薬管理具が、いわゆる据え置き型である例について説明したが、据え置きの態様で使用されるものに限定されるものではない。また、番組シート１０００の代わりに、番組表１００以外の情報が印刷された情報シートを用いてもよい。
【００３３】
（実施の形態４）
本実施の形態に係る薬管理具は、いわゆる壁吊り型であり、図８に示すように、板状の主部５４０１と、主部５４０１の一面側に配設された複数のトレイ部５４１１〜５４１４、５４２１〜５４２４と、主部５４０１に設けられたシート保持部Ｓ１に保持される番組シート１０００と、を備える。なお、図８において、実施の形態１〜３と同様の構成については同一の符号を付している。主部５４０１とトレイ部５４１１〜５４１４、５４２１〜５４２４とは、いずれも透明な材料から形成されている。透明な材料としては、透明な樹脂やガラス等が挙げられる。主部５４０１には、壁等に設けられたフック等に掛止するための吊りヒモ２０１が設けられている。
【００３４】
図９に示すように、シート保持部Ｓ１は、主部５４０１の内部に設けられた隙間部分から構成される。番組シート１０００は、シート保持部Ｓ１内に、その印刷面１０００ａがシート保持部Ｓ１におけるトレイ部５４１１〜５４１４、５４２１〜５４２４の側の部分５４１を臨むようにして配置される。これにより、ユーザは、薬管理具のトレイ部５４１１〜５４１４、５４２１〜５４２４側から、主部５４０１のトレイ部５４１１〜５４１４、５４２１〜５４２４の側の部分５４１を通して、番組シート１０００に印刷された番組表１００に目を通すことができる。
【００３５】
トレイ部５４１１〜５４１４、５４２１〜５４２４は、番組シート１０００がシート保持部Ｓ１に保持された状態において、番組シート１０００の番組表１００の４つの時間帯に対応する位置となるように、配置されている。
【００３６】
本実施の形態においても実施の形態３と同様の効果を奏する。
【００３７】
なお、本実施の形態では、薬管理具が、いわゆる壁吊り型である例について説明したが、壁吊りの態様で使用されるものに限定されるものではない。また、番組シート１０００の代わりに、番組表１００以外の情報が印刷された情報シートを用いてもよい。
【００３８】
なお、本考案は、全ての実施形態において、薬の服用者本人や、介護者、介護ヘルパー、保護者等の服用者の関係者及び本人が利用することを主に想定している。しかし、薬剤師が薬の提供時や指導の際に薬を貼り付けて提供してもよいものとする。また、本考案の薬管理具は、上記実施形態に限定されず、種々の変形及び応用が可能である。
【符号の説明】
【００３９】
１  シート部材、２  カレンダ、１３  月日曜日表示、２１  暦注、４０  薬箱、１００  番組表、１０１  番組表示領域、１０２  時刻表示領域、１１１  メモ欄、２０１  吊りヒモ、２０２  連結用リング、４０９  底壁、４１０  隔壁、４１１〜４１４、４２１〜４２４  領域、１０００  番組シート、１０００ａ  印刷面、５４０１  主部、５４１１〜５４１４、５４２１〜５４２４  トレイ部、Ａ１  情報印刷領域、Ａ２  薬貼り付け領域、Ａ２１〜Ａ２４  サブ領域、Ｓ１  シート保持部
【図１】
0003199183.tif 000003
【図２】
0003199183.tif 000004
【図３】
0003199183.tif 000005
【図４】
0003199183.tif 000006
【図５】
0003199183.tif 000007
【図６】
0003199183.tif 000008
【図７】
0003199183.tif 000009
【図８】
0003199183.tif 000010
【図９】
0003199183.tif 000011